(57)【要約】【課題】既存の分電盤に隣接して感震リレー盤を取り付け、分電盤と感震リレー盤との間で線の配線接続を行うときに、作業性が良く短時間で配線可能な感震リレー盤を提供すること。【解決手段】電路の引き込み線が一次側に接続され、二次側が外部に設けられた分電盤５０の第１ブレーカ５１に接続される第２ブレーカ２０と、地震による所定以上の振動を感知したときに、第２ブレーカ２０に疑似漏電信号を付与する感震リレー３０を有し、感震リレー３０の入力端子３２が、第２ブレーカ２０の二次側の中性相端子２５に接続され、感震リレー３０の出力端子１１が第２ブレーカ２０の入力線端子２１に接続される感震リレー盤１０において、感震リレー３０の入力端子３２と、第２主幹漏電ブレーカ２０の二次側の中性相端子２５とを接続する接続バー６１の中間位置に、中欠リード線１２の一端が固定される中間固定端子部６１ｄを備えること、を特徴とする。【選択図】図１
2019154110.tif 000002
【特許請求の範囲】
【請求項１】
電路の引き込み線が一次側に接続され、二次側が外部に設けられた分電盤の第１主幹漏電ブレーカに接続される第２主幹漏電ブレーカと、
地震による所定以上の振動を感知したときに、前記第２主幹漏電ブレーカに疑似漏電信号を付与する感震リレーを有し、
前記感震リレーの入力端子が、前記第２主幹漏電ブレーカの二次側の中性相端子に接続され、
前記感震リレーの出力端子が前記第２主幹漏電ブレーカの入力線端子に接続される感震リレー盤において、
前記感震リレーの前記入力端子と、前記第２主幹漏電ブレーカの前記二次側の中性相端子とを接続する接続バーの中間位置に、中性線欠相保護リード線の一端が固定される中間固定端子部を備えること、
を特徴とする感震リレー盤。
【請求項２】
請求項１に記載する感震リレー盤において、
前記中間固定端子部を覆う樹脂カバーを有し、
前記樹脂カバーの両側面に、前記第２主幹漏電ブレーカ側の前記接続バーを覆う接続バーカバーの一部を進入させるための凹部が生成され、前記凹部の底部がテーパ形状として形成されていること、
を特徴とする感震リレー盤。
【請求項３】
請求項１に記載する感震リレー盤において、
前記第２主幹漏電ブレーカが取り付けられるベースパネルを有し、
前記ベースパネルに係合孔が形成されていること、
前記接続バーを覆う接続バーカバーに、前記係合孔と係合する凸部を備えること、
を特徴とする感震リレー盤。
【請求項４】
請求項１に記載する感震リレー盤において、
前記接続バーを覆う接続バーカバーを有し、
前記接続バーカバーが、一対の凸状係合部を備え、
前記第２主幹漏電ブレーカが、複数の凹部係合部を備え、
前記接続バーカバーの前記一対の凸状係合部が、前記第２主幹漏電ブレーカの前記複数の凹部係合部のいずれかに係合していること、
を特徴とする感震リレー盤。
【発明の詳細な説明】
【技術分野】
【０００１】
本発明は、電路の引き込み線が一次側に接続され、二次側が外部に設けられた分電盤の第１主幹漏電ブレーカに接続される第２主幹漏電ブレーカと、地震による所定以上の振動を感知したときに、第２主幹漏電ブレーカに疑似漏電信号を付与する感震リレーを有し、感震リレーの入力端子が、第２主幹漏電ブレーカの二次側に接続され、感震リレーの出力端子が第２主幹漏電ブレーカの入力線端子に接続される感震リレー盤に関するものである。
【背景技術】
【０００２】
従来、大規模な地震が発生した場合に、送電は中断される。そして、地震が収まった後は深夜等、電灯をつけて被害状況等を確認する必要があるため、送電が再開されている。しかし、家庭内の配線等で漏電が発生している場合には、送電による漏電事故により火災が発生する恐れがあった。
それを回避するために、特許文献１及び２に示すように、分電盤内に感震リレーを設置し主幹漏電ブレーカをオフして送電を遮断し、地震が発生した後においては、人が主幹漏電ブレーカを操作しない限り、家庭内の機器に電気が流れないようにされている。
【０００３】
既存の家屋の分電盤においては、感震リレーを設けるスペースがない場合がある。その場合には、第１主幹漏電ブレーカを備える既存の分電盤に隣接して、感震リレーと第２の主幹漏電ブレーカを備える感震リレー盤を新たに設置することが行われている。
感震リレーは、地震による所定以上の振動を感知したときに、第２主幹漏電ブレーカに疑似漏電信号を付与して、家庭内の機器への送電を中断する。そして、人が家庭内の安全を確認した後、第２主幹漏電ブレーカをオンにすることにより始めて家庭内の機器に電気が送られるようになっている。
【先行技術文献】
【特許文献】
【０００４】
【特許文献１】特開2017-208884号公報
【特許文献２】特開2017-216777号公報
【発明の概要】
【発明が解決しようとする課題】
【０００５】
しかしながら、従来の感震リレー盤には、次のような問題があった。
（１）既存の分電盤に隣接して感震リレー盤を取り付けたときに、分電盤と感震リレー盤との間で線の接続を行う必要がある。このとき、第２主幹漏電ブレーカ本体から外部へ出ている中欠リード線（中性線欠相保護リード線）は、本ブレーカの二次側の中性相端子に接続されている。
第２主幹漏電ブレーカの二次側の３相端子と、第１主幹漏電ブレーカの一次側の３相端子とを３本の線で各々接続する必要がある。この作業では、本ブレーカの二次側の中性線端子のねじを外して、既に中性線端子に接続されている中欠リード線と共に、３相の中性線を接続する必要がある。
しかしながら、中性線端子のねじを外して、中性線と共に中欠リード線端子を共に固定することは、作業に時間がかかり全体の作業効率を低下させる問題があった。また、中欠リード線端子を付け忘れる恐れがあった。
【０００６】
（２）また、中欠リード線を固定したときに、絶縁用の樹脂シート（厚み０．５ｍｍ）をバーカバーの一部に侵入させて樹脂シートを固定している。作業としては、樹脂シートを外して、中欠リード線をねじで固定し、その後、樹脂シートをはめ込んでいる。
しかし、樹脂シートは、バーカバーの一部に侵入しているため、樹脂シートを外そうとするときに樹脂シートの凹部と、バーカバーとが直線の全ての点で接触しているため、外すのに手間取る問題があった。
【０００７】
（３）第２主幹漏電ブレーカの二次側に取り付けられている接続バー、及び接続バーを覆って保護している接続バーカバーは、二次側の３本のねじによりブレーカ本体に固定されている。配線を二次側の端子に接続するために、３本のねじを同時に取り外すと、接続バー及び接続バーカバーが自重により脱落する恐れがあった。１本のねじを残して順次ねじを取り外せば、脱落の恐れはないが、作業性が悪くなり作業効率が低下する問題があった。
【０００８】
（４）第２主幹漏電ブレーカの二次側に取り付けられている接続バー、及び接続バーを覆って保護しているバーカバーは、二次側の３本のねじによりブレーカ本体に固定されている。３本のねじの締め付け方向は同じであるため、ねじを強く締めると、バーカバーが捩れてズレを生じ、次のねじを締めるのに手間取る問題があった。
【０００９】
本発明は、上記問題点を解決するためのものであり、既存の分電盤に隣接して感震リレー盤を取り付け、分電盤と感震リレー盤との間で線の配線接続を行うときに、作業性が良く短時間で配線可能な感震リレー盤を提供することを目的とする。
【課題を解決するための手段】
【００１０】
上記課題を解決するために、本発明の感震リレー盤は、次のような構成を有している。
（１）電路の引き込み線が一次側に接続され、二次側が外部に設けられた分電盤の第１主幹漏電ブレーカに接続される第２主幹漏電ブレーカと、地震による所定以上の振動を感知したときに、第２主幹漏電ブレーカに疑似漏電信号を付与する感震リレーを有し、感震リレーの入力端子が、第２主幹漏電ブレーカの二次側の中性相端子に接続され、感震リレーの出力端子が第２主幹漏電ブレーカの入力線端子に接続される感震リレー盤において、感震リレーの入力端子と、第２主幹漏電ブレーカの二次側に接続される接続バーの中間位置に、中性線欠相保護リード線の一端が固定される中間固定端子部を備えること、を特徴とする。
【００１１】
（２）（１）に記載する感震リレー盤において、前記中間固定端子部を覆う樹脂カバーを有し、前記樹脂カバーの両側面に、前記第２主幹漏電ブレーカ側の前記接続バーを覆う接続バーカバーの一部を進入させるための凹部が生成され、前記凹部の底部がテーパ形状として形成されていること、を特徴とする。
（３）（１）に記載する感震リレー盤において、前記第２主幹漏電ブレーカが取り付けられるベースパネルを有し、前記ベースパネルに係合孔が形成されていること、前記接続バーを覆う接続バーカバーに、前記係合孔と係合する凸部を備えること、を特徴とする。
【００１２】
（４）（１）に記載する感震リレー盤において、前記接続バーを覆う接続バーカバーを有し、前記接続バーカバーが、一対の凸状係合部を備え、前記第２主幹漏電ブレーカが、複数の凹部係合部を備え、前記接続バーカバーの前記一対の凸状係合部が、前記第２主幹漏電ブレーカの前記複数の凹部係合部のいずれかに係合していること、を特徴とする。
【発明の効果】
【００１３】
本発明の感震リレー盤は、次のような作用・効果を奏する。
（１）電路の引き込み線が一次側に接続され、二次側が外部に設けられた分電盤の第１主幹漏電ブレーカに接続される第２主幹漏電ブレーカと、地震による所定以上の振動を感知したときに、第２主幹漏電ブレーカに疑似漏電信号を付与する感震リレーを有し、感震リレーの入力端子が、第２主幹漏電ブレーカの二次側に接続され、感震リレーの出力端子が第２主幹漏電ブレーカの入力線端子に接続される感震リレー盤において、感震リレーの入力端子と、第２主幹漏電ブレーカの二次側の中性相端子を接続する接続バーの中間位置に、中性線欠相保護リード線の一端が固定される中間固定端子部を備えること、を特徴とするので、中性線欠相保護リード線を第２主幹漏電ブレーカの中間固定端子部に直接接続しておけば、本ブレーカの二次側の中性線を接続するときに、中性線のみを接続すれば良いため、作業性を高め作業時間を短縮して作業効率を高めることができる。また、中性線欠相保護リード線を付け忘れる恐れがない。
【００１４】
（２）（１）に記載する感震リレー盤において、前記中間固定端子部を覆う樹脂カバーを有し、前記樹脂カバーの両側面に、前記第２主幹漏電ブレーカ側の前記接続バーを覆う接続バーカバーの一部を進入させるための凹部が生成され、前記凹部の底部がテーパ形状として形成されていること、を特徴とするので、樹脂カバーの凹部底部テーパ形状の一部のみが、接続バーカバーと接触しているだけなので、薄い樹脂カバーを少し湾曲させることで破損なく効率よく取り外し、または取り付けることができる。
【００１５】
（３）（１）に記載する感震リレー盤において、前記第２主幹漏電ブレーカが取り付けられるベースパネルを有し、前記ベースパネルに係合孔が形成されていること、前記接続バーを覆う接続バーカバーに、前記係合孔と係合する凸部を備えること、を特徴とするので、配線を二次側の端子に接続するために、３本のねじを同時に取り外しても、ベースパネルの係合孔に、接続バーカバーの凸部が常に係合しているため、接続バー及び接続バーカバーが一体的に自重で脱落する恐れがない。
【００１６】
（４）（１）に記載する感震リレー盤において、前記接続バーを覆う接続バーカバーを有し、前記接続バーカバーが、一対の凸状係合部を備え、前記第２主幹漏電ブレーカが、複数の凹部係合部を備え、前記接続バーカバーの前記一対の凸状係合部が、前記第２主幹漏電ブレーカの前記複数の凹部係合部のいずれかに係合していること、を特徴とするので、ねじを強く締めても、ブレーカの凹部係合部と接続バーカバーの一対の凸状係合部が係合しているため、バーカバーが捩ることがなく、ズレを生じることがない。したがって、次のねじを締めるのに手間取ることもない。
【図面の簡単な説明】
【００１７】
【図１】感震リレー盤の内部構造を示す図である。
【図２】既設の分電盤に隣接して感震リレー盤を後付けした場合の配置図を示す図である。
【図３】第２ブレーカの取付構造を示す分解斜視図である。
【図４】第２ブレーカの構造を示す斜視図である。
【図５】図４から、接続バーカバーを取り外した状態を示す斜視図である。
【図６】接続バーカバーの構造を示す斜視図である。
【図７】（ａ）は、図６の（ａ）矢視図であり、（ｂ）は、図６の（ｂ）矢視図であり、（ｃ）は、図６の（ｃ）矢視図である。
【図８】第２ブレーカ２０に接続バーカバーを取り付ける構造を示す図である。
【図９】樹脂カバーの詳細形状を示す図である。
【発明を実施するための形態】
【００１８】
本発明の実施形態である感震リレー盤１０について、図面を用いて詳細に説明する。図１に感震リレー盤１０の内部構造を示す。図２に既設の分電盤５０に隣接して感震リレー盤１０を後付けした場合の配置図を示す。
図２に示すように、分電盤５０には、第１主幹漏電ブレーカである第１ブレーカ５１が配設され、第１ブレーカ５１の二次側配線５３には、複数の分岐ブレーカ５２が接続されている。
感震リレー盤１０には、第２主幹漏電ブレーカである第２ブレーカ２０が配設されている。第２ブレーカ２０には、感震リレー３０が横に設けられている。感震リレー盤１０を新設したときには、従来第１ブレーカ５１の一次側に接続されていた入力配線１７を第２ブレーカ２０の一次側に接続する。そして、第２ブレーカ２０の二次側の出力配線１８を第１ブレーカ５１の一次側に接続する。
【００１９】
次に、感震リレー盤１０の構造を図１に基づいて説明する。図３に、第２ブレーカ２０の取付構造を分解斜視図で示す。
全体は、上面が開口した図示しない収納ケースに収納されている。収納ケースの下面には、ベースパネル７０が付設され、ベースパネル７０の上面に、第２ブレーカ２０と感震リレー３０が横に付設されている。
図３に示すように、感震リレー３０の入力側の凹部端子３２は、第２ブレーカ２０の二次側の第１端子２６が第１接続バー６２により接続されている。すなわち、第１接続バー６２の本体部６２ｂは、第１端子２６と接続される端子部６２ａと、感震リレー３０の凹部端子３２に接続する凸状端子６２ｃを両端に備えている。
また、感震リレー３０の入力側の別の凹部端子３１は、第２ブレーカ２０の二次側の中性相端子２５が第２接続バー６１により接続されている。すなわち、第２接続バー６１の本体部６１ｂは、中性相端子２５と接続される端子部６１ａと、感震リレー３０の凹部端子３１に接続する凸状端子６１ｃを両端に備えている。
【００２０】
また、本体部６１ｂの中央付近には、中間固定端子部６１ｄが設けられている。図１に示すように、中間固定端子部６１ｄは、第２ブレーカ２０の側面から出ている中性線欠相保護リード線である中欠リード線１２の端部に設けられた端子１３を取り付けるための端子部である。第１接続バー６２及び第２接続バー６１は、第２ブレーカ２０に取り付けられる接続バーカバー４０により覆われる。
図４に、第２ブレーカの構造を斜視図で示す。図５に、図４から、接続バーカバー４０を取り外した状態を斜視図で示す。
接続バーカバー４０の構造を図６に斜視図で示す。また、図６の（ａ）矢視図を図７の（ａ）に示し、図６の（ｂ）矢視図を図７の（ｂ）に示し、図６の（ｃ）矢視図を図７の（ｃ）に示す。また、第２ブレーカ２０に接続バーカバー４０を取り付ける構造を図８に示す。
【００２１】
接続バーカバー４０には、第２ブレーカ２０の凹部係合部２０ａに係合するための凸状係合部４４と、凹部２０ｂに係合するための凸状係合部４３が形成されている。凹部係合部２０ａに凸状係合部４４が係合し、凹部２０ｂに凸状係合部４３が係合しているので、図３に示すねじ６０をドライバーで締め付けたときに、接続バーカバー４０が捩れて変形することがない。
また、図７（ｃ）に示すように、凸状係合部４３、４４の外側に凸部４５が形成されている。凸部４５は、下面が垂直に形成され、上面はテーパ形状に形成されている。接続バーカバー４０を第２ブレーカ２０に取り付けるときに、ベースパネル７０に形成された係合孔７１（図５に示す。）に、凸部４５を係合させる。これにより、接続バーカバー４０は、ベースパネル７０の係合孔７１に常に係合しているため、ねじを外しても接続バーカバー４０がベースパネル７０から脱落することがない。
【００２２】
接続バーカバー４０には、中間固定端子部６１ｄと端子１３とを回避する開口が形成され、開口の外部には、中間固定端子部６１ｄと端子１３とを保持する端子保持部４２が形成されている。接続バーカバー４０は、中間固定端子部６１ｄに端子１３をねじで取り付けた状態で、脱着可能である。
図３に示すように、中間固定端子部６１ｄに端子１３をねじで取り付けた状態で、樹脂カバー１４を取り付ける。樹脂カバー１４の詳細形状を図９に示す。（ａ）は正面図であり、（ｂ）は側面図である。樹脂カバー１４は、樹脂製であり、厚みが０．５ｍｍである。樹脂カバー１４の両側面には、凹部１４ａが形成されている。凹部１４ａの底部１４ｂは、図中下に行くほど幅が広くなっており、底部１４ｂは、テーパ形状として形成されている。
一方、接続バーカバー４０の端子保持部４２に形成された、樹脂カバー１４を進入させるための両側凹部４２ａは、平行な直線形状である。
樹脂カバー１４の凹部１４ａの底部１４ｂのテーパ形状の一部のみが、接続バーカバー４０の端子保持部４２に形成された両側凹部４２ａと接触しているだけなので、薄い樹脂カバー１４を少し湾曲させることで破損なく効率よく取り外し、取り付けることができる。
【００２３】
図１において示すように、第２ブレーカ２０の二次側端子２４、２５、２６に配線を接続するときに、図３に示す３本のねじ６０を取り外すが、中間固定端子部６１ｄに接続されている端子１３は取り外す必要がないため、作業性が良く作業を短時間で終了させることができる。
一方、感震リレー３０の出力側から出ている出力端子１１は、第２ブレーカ２０の入力側の第２端子２１に接続されている。感震リレー３０が所定以上の振動を感知（所定震度以上の地震の発生を感知）したときに、感震リレー３０は、第２ブレーカ２０の第２端子２１に疑似漏電信号を付与する。第２ブレーカ２０は、第２端子２１に疑似漏電信号が入力すると、漏電が発生したと判断して、第２ブレーカ２０を遮断し、第１ブレーカ５１への電流の流れを遮断する。
なお、感震リレー盤１０は、図１の状態から、上カバー、開閉蓋等の部品が追加されて完成する。
【００２４】
以上詳細に説明したように、本実施形態の感震リレー盤１０によれば、（１）電路の引き込み線が一次側に接続され、二次側が外部に設けられた分電盤５０の第１ブレーカ５１に接続される第２ブレーカ２０と、地震による所定以上の振動を感知したときに、第２ブレーカ２０に疑似漏電信号を付与する感震リレー３０を有し、電路が単相３線式電路であって、感震リレー３０の凹部端子３２が、第２ブレーカ２０の二次側の中性相端子２５に接続され、感震リレー３０の出力配線１１が第２ブレーカ２０の第２端子２１に接続される感震リレー盤１０において、感震リレー３０の凹部端子３２と、第２ブレーカ２０の二次側の中性相端子２５とを接続する第２接続バー６１の中間位置に、中性線欠相保護リード線（中欠リード線）１２の一端が固定される中間固定端子部６１ｄを備えること、を特徴とするので、中欠リード線１２を第２ブレーカ２０の中間固定端子部６１ｄに直接接続しておけば、第２ブレーカ２０の二次側の中性線を接続するときに、中性線のみを接続すれば良いため、作業性を高め作業時間を短縮して作業効率を高めることができる。また、中欠リード線１２を付け忘れる恐れがない。
【００２５】
（２）（１）に記載する感震リレー盤１０において、中間固定端子部６１ｄを覆う樹脂カバー１４を有し、樹脂カバー１４の両側面に、第２ブレーカ２０側の接続バー６１を覆う接続バーカバー４０の一部を進入させるための凹部１４ａが生成され、凹部１４ａの底部１４ｂがテーパ形状として形成されていること、を特徴とするので、樹脂カバー１４の凹部１４ａの底部１４ｂのテーパ形状の一部のみが、接続バーカバー４０の端子保持部４２に形成された両側凹部４２ａと接触しているだけなので、薄い樹脂カバー１４を自由に変形させることができるため、樹脂カバー１４を効率よく取り外し、取り付ることができる。
【００２６】
（３）（１）に記載する感震リレー盤１０において、第２ブレーカ２０が取り付けられるベースパネル７０を有し、ベースパネル７０に係合孔７１が形成されていること、第２接続バー６１を覆う接続バーカバー４０に、係合孔７１と係合する凸部４５を備えること、を特徴とするので、配線を二次側の端子に接続するために、３本のねじを同時に取り外しても、ベースパネル７０の係合孔７１に、接続バーカバー４０の凸部４５が常に係合しているため、接続バーカバー４０はベースパネル７０に常に係合されており、第２接続バー６１及び接続バーカバー４０が一体的に自重で脱落する恐れがない。
【００２７】
（４）（１）に記載する感震リレー盤１０において、第２接続バー６１を覆う接続バーカバー４０を有し、接続バーカバー４０が、一対の凸状係合部４３、４４を備え、第２ブレーカ２０が、複数の凹部係合部２０ａ、２０ｂを備え、接続バーカバー４０の一対の凸状係合部４３、４４が、第２ブレーカ２０の複数の凹部係合部２０ａ、２０ｂのいずれかに係合していること、を特徴とするので、ねじ６０を強く締めても、第２ブレーカ２０の凹部係合部２０ａ、２０ｂと接続バーカバー４０の一対の凸状係合部４３、４４が係合しているため、接続バーカバー４０が捩ることがなく、ズレを生じることがない。したがって、次のねじ６０を締めるのに手間取ることもない。
【００２８】
なお、本実施形態は単なる例示にすぎず、本発明を何ら限定するものではない。したがって本発明は当然に、その要旨を逸脱しない範囲内で様々な改良、変形が可能である。
例えば、本実施の形態では、感震リレー３０と第２ブレーカ２０とが隣接して配置された感震リレー盤１０について説明したが、分電盤５０内に余裕があれば、感震リレー３０と第２ブレーカ２０とを分電盤５０内に配置しても良い。
また、実施例の説明中は電路を単相３線式で説明を行っているが単相２線式で行うことも可能である。
【符号の説明】
【００２９】
１０    感震リレー盤
１２    中欠リード線（中性線欠相保護リード線）
１４    樹脂カバー
２０    第２ブレーカ
２０ａ  凹部係合部
３０    感震リレー
４０    接続バーカバー
４３、４４    凸状係合部
５０    分電盤
５１    第１ブレーカ
６１    第２接続バー
６１ｄ  中間固定端子部
６２    第１接続バー
７０    ベースパネル
７１    係合孔
【図１】
2019154110.tif 000003
【図２】
2019154110.tif 000004
【図３】
2019154110.tif 000005
【図４】
2019154110.tif 000006
【図５】
2019154110.tif 000007
【図６】
2019154110.tif 000008
【図７】
2019154110.tif 000009
【図８】
2019154110.tif 000010
【図９】
2019154110.tif 000011